【事件の表示】
　特許第６７８１２０８号発明「双方向メディアガイダンスアプリケーションを使用してオーディオコンテンツを識別するシステムおよび方法」の特許異議申立事件について、次のとおり決定する。
【結　論】
　特許第６７８１２０８号の請求項１〜１４に係る特許を維持する。
【理　由】
１　手続の経緯
　特許第６７８１２０８号の請求項１〜１４に係る特許についての出願は、２０１０年（平成２２年）９月２７日（パリ条約による優先権主張　２００９年９月３０日　米国、２００９年９月３０日　米国、２００９年９月３０日　米国）を国際出願日とする出願である特願２０１２−５３２２２０号の一部が平成２７年３月２７日に新たな特許出願（特願２０１５−６５８０９号）とされ、当該特願２０１５−６５８０９号の一部が平成２９年２月２０日に新たな特許出願（特願２０１７−２８９０４号）とされ、当該特願２０１７−２８９０４号の一部を平成３０年７月９日に新たな特許出願としたものであって、令和２年１０月１９日にその特許権の設定登録がされ、同年１１月４日に特許掲載公報が発行された。
　その特許について、令和３年４月３０日に特許異議申立人松田純一により特許異議の申立てがされた。
　当審は、令和３年６月２５日付けで取消理由を通知し、それに対し、特許権者は、令和３年９月２９日に意見書を提出した。
２　本件発明
　特許第６７８１２０８号（以下、「本件特許」という。）の請求項１〜１４に係る発明（以下、「本件発明１」〜「本件発明１４」という。）は、本件特許の特許請求の範囲の請求項１〜１４に記載された次の事項により特定されるとおりのものである。
　なお、符号（Ａ１）〜（Ｏ１）は、説明のために当審で付したものであり、以下、各構成要件を「構成Ａ１」〜「構成Ｏ１」という。
（本件発明１）【請求項１】
（Ａ１）オーディオアセット情報記憶システムであって、
　前記システムは、
（Ｂ１）オーディオアセットと関連付けられるオーディオアセット情報を記憶するように構成されるデータストアであって、前記オーディオアセット情報は、前記オーディオアセットを埋め込んでいるビデオ番組と関連付けられるビデオ番組情報を含む、データストアと、
（Ｃ１）ｉ）前記オーディオアセットを取得するための選択可能なオプションとともにユーザ機器を介して表示するために前記オーディオアセットと関連付けられる前記オーディオアセット情報を提供することであって、前記オーディオアセット情報の少なくとも一部分は、前記オーディオアセットの特徴と一致するオーディオ選好データを前記ユーザ機器のユーザプロファイルが含んでいることを決定することに応じて提供される、ことと、ｉｉ）前記選択可能なオプションを介して前記オーディオアセットを取得するための要求を受信することと、ｉｉｉ）前記オーディオアセットを取得するための前記要求を受信したことに応じて、前記オーディオアセットを前記ユーザ機器に提供することとを実行するように構成されるプロセッサと
（Ｄ１）を備える、システム。
（本件発明２）【請求項２】
（Ｅ１）前記データストアは、第１のデータストアであり、
（Ｆ１）前記オーディオアセット情報は、オーディオアセットシグネチャと、前記第１のデータストアとは異なる第２のデータストアの中のメディアコンテンツに対する識別子と、タイトルと、アーティストと、アルバムと、アルバムアートと、オーディオアセットのジャンルと、オーディオアセットの種類と、歌詞と、再生時間とのうちの少なくとも１つを含む、
（Ｇ１）請求項１に記載のシステム。
（本件発明３）【請求項３】
（Ｈ１）前記ビデオ番組情報は、番組タイトルと、ビデオ番組のジャンルと、ビデオ番組の種類と、エピソードと、シリーズと、放送スケジュールと、オーディオアセットの場所と、オーディオアセットの開始時間と、オーディオアセットの終了時間と、歌詞と、オーディオテキストと、オーディオアセット品質とのうちの少なくとも１つを含む、
（Ｇ１）請求項１に記載のシステム。
（本件発明４）【請求項４】
（Ａ１）オーディオアセット情報記憶システムであって、
　前記システムは、
（Ｂ１）オーディオアセットと関連付けられるオーディオアセット情報を記憶するように構成されるデータストアであって、前記オーディオアセット情報は、前記オーディオアセットを埋め込んでいるビデオ番組と関連付けられるビデオ番組情報を含む、データストアと、
（Ｉ１）ｉ）前記オーディオアセットを取得するための選択可能なオプションとともにユーザ機器を介して表示するために前記オーディオアセットと関連付けられる前記オーディオアセット情報を提供することと、ｉｉ）前記選択可能なオプションを介して前記オーディオアセットを取得するための要求を受信することと、ｉｉｉ）前記オーディオアセットを取得するための前記要求を受信したことに応じて、前記オーディオアセットを前記ユーザ機器に提供することとを実行するように構成されるプロセッサと
　を備え、
（Ｊ１）前記データストアは、遠隔データストアであり、
（Ｋ１）前記プロセッサは、さらに、ｉ）複数のユーザ機器データストアを監視することと、ｉｉ）前記複数のユーザ機器データストアに記憶されていない、前記遠隔データストアに記憶されたオーディオアセット情報を識別することと、ｉｉｉ）前記識別されたオーディオアセット情報を前記複数のユーザ機器データストアに提供することとを実行するように構成される、
（Ｄ１）システム。
（本件発明５）【請求項５】
（Ｌ１）前記オーディオアセット情報の少なくとも一部分は、前記オーディオアセットを埋め込んでいる前記ビデオ番組を表示または記録するように前記ユーザ機器が設定されていることを決定することに応じて提供される、
（Ｇ１）請求項１に記載のシステム。
（本件発明６）【請求項６】
（Ｍ１）前記特徴は、前記オーディオアセット情報に含まれる、
（Ｇ１）請求項１に記載のシステム。
（本件発明７）【請求項７】
（Ａ１）オーディオアセット情報記憶システムであって、
前記システムは、
（Ｂ１）オーディオアセットと関連付けられるオーディオアセット情報を記憶するように構成されるデータストアであって、前記オーディオアセット情報は、前記オーディオアセットを埋め込んでいるビデオ番組と関連付けられるビデオ番組情報を含む、データストアと、
（Ｉ１）ｉ）前記オーディオアセットを取得するための選択可能なオプションとともにユーザ機器を介して表示するために前記オーディオアセットと関連付けられる前記オーディオアセット情報を提供することと、ｉｉ）前記選択可能なオプションを介して前記オーディオアセットを取得するための要求を受信することと、ｉｉｉ）前記オーディオアセットを取得するための前記要求を受信したことに応じて、前記オーディオアセットを前記ユーザ機器に提供することとを実行するように構成されるプロセッサと
　を備え、
（Ｎ１）前記オーディオアセット情報の少なくとも一部分は、前記オーディオアセットを埋め込んでいる前記ビデオ番組の特徴と一致するビデオ選好データを前記ユーザ機器のユーザプロファイルが含んでいることを決定することに応じて提供され、
（Ｏ１）前記特徴は、前記ビデオ番組情報に含まれる、
（Ｄ１）システム。
（本件発明８）【請求項８】
（Ａ２）オーディオアセット情報を提供する方法であって、前記方法は、オーディオアセット情報記憶システムによって実行され、前記オーディオアセット情報記憶システムは、プロセッサと、データストアとを備え、
　前記方法は、
（Ｂ２）前記プロセッサにより、オーディオアセットと関連付けられるオーディオアセット情報を前記データストアに記憶することであって、前記オーディオアセット情報は、前記オーディオアセットを埋め込んでいるビデオ番組と関連付けられるビデオ番組情報を含む、ことと、
（Ｃ２）前記プロセッサにより、前記オーディオアセットを取得するための選択可能なオプションとともにユーザ機器を介して表示するために前記オーディオアセットと関連付けられる前記オーディオアセット情報を提供することであって、前記オーディオアセット情報の少なくとも一部分は、前記オーディオアセットの特徴と一致するオーディオ選好データを前記ユーザ機器のユーザプロファイルが含んでいることを決定することに応じて提供される、ことと、
（Ｃ３）前記プロセッサにより、前記選択可能なオプションを介して前記オーディオアセットを取得するための要求を受信することと、
（Ｃ４）前記プロセッサにより、前記オーディオアセットを取得するための前記要求を受信したことに応じて、前記オーディオアセットを前記ユーザ機器に提供することと
（Ｄ２）を含む、方法。
（本件発明９）【請求項９】
（Ｅ１）前記データストアは、第１のデータストアであり、
（Ｆ１）前記オーディオアセット情報は、オーディオアセットシグネチャと、前記第１のデータストアとは異なる第２のデータストアの中のメディアコンテンツに対する識別子と、タイトルと、アーティストと、アルバムと、アルバムアートと、オーディオアセットのジャンルと、オーディオアセットの種類と、歌詞と、再生時間とのうちの少なくとも１つを含む、
（Ｇ２）請求項８に記載の方法。
（本件発明１０）【請求項１０】
（Ｈ１）前記ビデオ番組情報は、番組タイトルと、ビデオ番組のジャンルと、ビデオ番組の種類と、エピソードと、シリーズと、放送スケジュールと、オーディオアセットの場所と、オーディオアセットの開始時間と、オーディオアセットの終了時間と、歌詞と、オーディオテキストと、オーディオアセット品質とのうちの少なくとも１つを含む、
（Ｇ２）請求項８に記載の方法。
（本件発明１１）【請求項１１】
（Ａ２）オーディオアセット情報を提供する方法であって、前記方法は、オーディオアセット情報記憶システムによって実行され、前記オーディオアセット情報記憶システムは、プロセッサと、データストアとを備え、
　前記方法は、
（Ｂ２）前記プロセッサにより、オーディオアセットと関連付けられるオーディオアセット情報を前記データストアに記憶することであって、前記オーディオアセット情報は、前記オーディオアセットを埋め込んでいるビデオ番組と関連付けられるビデオ番組情報を含む、ことと、
（Ｉ２）前記プロセッサにより、前記オーディオアセットを取得するための選択可能なオプションとともにユーザ機器を介して表示するために前記オーディオアセットと関連付けられる前記オーディオアセット情報を提供することと、
（Ｃ３）前記プロセッサにより、前記選択可能なオプションを介して前記オーディオアセットを取得するための要求を受信することと、
（Ｃ４）前記プロセッサにより、前記オーディオアセットを取得するための前記要求を受信したことに応じて、前記オーディオアセットを前記ユーザ機器に提供することと
　を含み、
（Ｊ１）前記データストアは、遠隔データストアであり、
（Ｋ２）前記方法は、
　前記プロセッサにより、複数のユーザ機器データストアを監視することと、
（Ｋ３）前記プロセッサにより、前記複数のユーザ機器データストアに記憶されていない、前記遠隔データストアに記憶されたオーディオアセット情報を識別することと、
（Ｋ４）前記プロセッサにより、前記識別されたオーディオアセット情報を前記複数のユーザ機器データストアに提供することと
（Ｄ２）をさらに含む、方法。
（本件発明１２）【請求項１２】
（Ｌ２）前記オーディオアセット情報の少なくとも一部分は、前記プロセッサにより、前記オーディオアセットを埋め込んでいる前記ビデオ番組を表示または記録するように前記ユーザ機器が設定されていることを決定することに応じて提供される、
（Ｇ２）請求項８に記載の方法。
（本件発明１３）【請求項１３】
（Ｍ１）前記特徴は、前記オーディオアセット情報に含まれる、
（Ｇ２）請求項８に記載の方法。
（本件発明１４）【請求項１４】
（Ａ２）オーディオアセット情報を提供する方法であって、前記方法は、オーディオアセット情報記憶システムによって実行され、前記オーディオアセット情報記憶システムは、プロセッサと、データストアとを備え、
　前記方法は、
（Ｂ２）前記プロセッサにより、オーディオアセットと関連付けられるオーディオアセット情報を前記データストアに記憶することであって、前記オーディオアセット情報は、前記オーディオアセットを埋め込んでいるビデオ番組と関連付けられるビデオ番組情報を含む、ことと、
（Ｉ２）前記プロセッサにより、前記オーディオアセットを取得するための選択可能なオプションとともにユーザ機器を介して表示するために前記オーディオアセットと関連付けられる前記オーディオアセット情報を提供することと、
（Ｃ３）前記プロセッサにより、前記選択可能なオプションを介して前記オーディオアセットを取得するための要求を受信することと、
（Ｃ４）前記プロセッサにより、前記オーディオアセットを取得するための前記要求を受信したことに応じて、前記オーディオアセットを前記ユーザ機器に提供することと
　を含み、
（Ｎ２）前記オーディオアセット情報の少なくとも一部分は、前記プロセッサにより、前記オーディオアセットを埋め込んでいる前記ビデオ番組の特徴と一致するビデオ選好データを前記ユーザ機器のユーザプロファイルが含んでいることを決定することに応じて提供され、
（Ｏ１）前記特徴は、前記ビデオ番組情報に含まれる、
（Ｄ２）方法。
３　取消理由の概要
　当審において、請求項１〜１４に係る特許に対して通知した取消理由の要旨は、次のとおりである。
（１）請求項１〜３、５〜１０、１２〜１４に係る発明は甲第１号証（特開２００１−３５０４８０号公報）に記載された発明であって、特許法第２９条第１項第３号に該当するから、当該請求項に係る特許は、特許法第２９条第１項の規定に違反してされたものであり、同法第１１３条第２項の規定により取り消されるべきものである。
（２）請求項１〜３、５〜１０、１２〜１４に係る発明は甲第１号証に基づいて当業者が容易に発明をすることができたものであるから、当該請求項に係る特許は、特許法第２９条第２項の規定に違反してされたものであり、同法第１１３条第２項の規定により取り消されるべきものである。
（３）請求項４、１１に係る発明は甲第１号証及び甲第２号証（国際公開第２００７／０２１０３８号）に基づいて当業者が容易に発明をすることができたものであるから、当該請求項に係る特許は、特許法第２９条第２項の規定に違反してされたものであり、同法第１１３条第２項の規定により取り消されるべきものである。
（４）請求項５、１２に係る発明は甲第１号証及び甲第３号証（特開２００６−３４０３９６号公報）に基づいて当業者が容易に発明をすることができたものであるから、当該請求項に係る特許は、特許法第２９条第２項の規定に違反してされたものであり、同法第１１３条第２項の規定により取り消されるべきものである。
４　甲第１号証
（１）記載事項
　甲第１号証には、次の記載がある。なお、以降の下線は説明のために付されたものものである。
「【０００１】
【発明の属する技術分野】本願発明は、通信網を介して音楽を配信する音楽配信システム、並びに、この音楽配信システムにおける音楽配信方法及び、音楽発注装置に関するものである。」
「【００１０】インターネット等のネットワーク１に、ユーザ端末２、音楽配信装置３、放送局端末４、配信専用端末５が接続される。ユーザ端末２は、パソコンにより構成され、ユーザの操作により発注データを音楽配信装置３に送信する。配信専用端末５は、コンビニ等に置かれた、音楽配信の発注及び受信専用のコンピュータである。また、ユーザ端末として携帯電話、ＰＨＳ等の移動電話６を使用することもできる。この場合は、中継局７を介してネットワーク１に接続される。」
「【００１２】
音楽配信装置３は、ネットワーク１に接続される送受信部９、ＣＰＵ等により構成される処理部１０、記憶部１１から構成される。記憶部１１は、番組ＤＢ１２、検索ＤＢ１３、曲ＤＢ１４、発注履歴ＤＢ１５、専用端末ＤＢ１６、発注者ＤＢ１７を含む。
図２は、図１のシステムにおける、番組ＤＢ１２、検索ＤＢ１３、曲ＤＢ１４の構造と、各ＤＢ１２〜１４と発注者、配信先との間のデータの流れを示す。
「【００１６】配信要求データ種別は、配信される曲データの種別、配信された曲データを記録する媒体の種別などである。曲データの種別としては、フルコーラス、試聴、カラオケ、歌詞などがある。媒体の識別としては、ＭＤ、ＣＤ−Ｒなどがある。その他のデータについては後述する。番組ＤＢ１２は、Ａ放送局の番組表１９、Ｂ放送局の番組表２０、Ｃ放送局の番組表２１からなる。つまり、
番組ＤＢ１２は、放送局データと放送時間データと曲コードを備える。
【００１７】音楽配信装置３は、ユーザ端末２から発注データ１８を受信すると、そこに含まれる放送局名データ、放送時刻データに従って、番組ＤＢ１２から曲コードを検索する。放送局名、放送時刻に該当する曲コードが見つかると、曲コードを用いて曲ＤＢ１４を検索する。
曲ＤＢ１４は、曲コード、曲データ、試聴データ、曲情報等を記憶している。曲データは、曲をディジタル信号化したデータであり、
曲情報は、曲名、発売日、歌手名、歌手に関する情報、ジャケットの写真又は絵などの曲に関する情報である。
「【００２１】図３は、ユーザ端末の構成を示す。
ユーザ端末２は、パソコンにより構成され、ＣＰＵ等から構成される処理部２５、記憶部２６、キーボード２７、ディスプレイ２８、スピーカ２９等を具備する。
【００２２】ユーザ端末２に、テレビ受像機２３、ビデオデッキ２４が接続される。なお、テレビ受像機２３の代わりにラジオ受信機等、ビデオデッキ２４の代わりにＭＤデッキ等を使用する場合もある。以下に、発注及び配信の具体的処理を、実施例ごとに説明する。
（実施例１）実施例１は、ユーザが発注した音楽が自分のユーザ端末に配信される例である。
【００２３】ユーザは、テレビ受像機２３（図３）で放送を視聴するときに、ユーザ端末２の音楽配信ソフトを立ち上げておく。図４は、本例の音楽配信の処理を示す。
図５は、音楽配信ソフトを立ち上げたときに、ユーザ端末２のディスプレイ２８に表示される音楽発注画面３０を示す。音楽発注画面３０には、放送局名を入力する枠３１、放送時刻を入力する枠３２、試聴ボタン３３、発注ボタン３４が表示される。放送局名入力枠３１には、現在テレビ受像機２３が受信している放送局名が表示され、放送時刻枠３２には現在の時刻が表示される。
【００２４】
ユーザは、現在放送されている曲が欲しいと思ったとき、試聴ボタン３３をクリックする。すると、放送局名データと放送時刻データから発注データ１８が作成されて、ネットワーク１を経由して音楽配信装置３に送信される
音楽配信装置３では、処理部１０により、記憶部１１の番組ＤＢ１２から、発注データ１８に含まれる放送局名と放送時刻に該当する曲コードを検索する。曲コードが得られると、曲ＤＢ１４から曲データを抽出する
試聴データが要求されているので、試聴データ、曲情報等をユーザ端末２に送信する
【００２５】
ユーザ端末２では、データを受信すると、試聴データを再生し、確認画面を表示する
確認画面３５には、放送局名表示枠３６、放送時間表示枠３７、曲名表示枠３８、歌手名表示枠３９が表示され、それぞれに、音楽配信装置３が検索した曲の情報が表示される。また、ＯＫボタン４０、キャンセルボタン４１が表示される。
【００２６】
ユーザは、確認画面３５と試聴曲から欲しい曲の発注がされたことを確認するとＯＫボタン４０をクリックする。
ユーザ端末２から音楽配信装置３に、ＯＫ信号又はキャンセル信号が送信される
【００２７】音楽配信装置３では、ユーザ端末２からキャンセルデータを受信すると処理を終了する。
ＯＫ信号を受信すると、曲データ、曲情報等を配信先に送信する
本例では、配信先の指定がされていないので、配信先のアドレスは発注データを送信したユーザ端末２のアドレスとなる。
「【００３１】（変形例３）放送中には、放送局名と放送時刻をユーザ端末２に記憶させるだけとし、放送終了後に、記憶したデータを確認しながら試聴及び発注をすることができる。図７は、本例における音楽発注画面３０を示す。図７については図５と異なる点についてのみ説明する。
【００３２】本例では、試聴ボタン３３、発注ボタン３４と並んでメモボタン４２が配置される。また、放送局名表示枠３６の表示内容を切り替えるためのボタン４３が隣接して配置される。
ユーザは、放送を聴いていて、放送された曲が気に入れば、音楽発注画面３０のメモボタン４２をクリックする。これにより、放送局名データと放送時刻データが記憶部２６（図３）に記憶される。この操作を繰り返し行えば、複数のデータが記憶部２６に記憶される。ユーザが、放送終了後に、放送局名表示枠３６の隣にある切替ボタン４３をクリックすると、放送局名表示枠３６と放送時刻表示枠３７に、記憶されたデータが次々に表示されていく。この表示ごとに試聴ボタン３３を押せば、前述の図４の処理が順次実行されて試聴可能となる。そこで気に入った曲を発注する。
「【００５８】本例によれば、ユーザが同じ曲を二重に発注することが防止できる。
（実施例８）音楽配信装置３は、ユーザの好みに合った曲が放送される予定であるときは、その情報をユーザに送信することにより、ユーザからの音楽の発注を推進することができる。
【００５９】図１８は音楽配信装置３の発注者ＤＢ１７の構造を示す。
発注者ＤＢ１７には、予め、ユーザが登録した発注者ごとの好みの条件、例えば、歌手名、ジャンル等が記憶されている。
【００６０】図１９は、本例の音楽配信の処理を示す。各放送局において、新しい番組表１９〜２１（図２）ができると、音楽配信装置３に送信される（Ｓ５１）。
音楽配信装置３は、新しい番組表１９〜２１を受信すると、番組表１９〜２１について、発注者ＤＢ１７の各発注者ごとに好みの条件に合致する放送内容があるか否かを検索する
条件にあった番組を抽出すると、発注者のユーザ端末２に対して、放送を紹介するメールを送信する
ユーザは、受信した（Ｓ５４）番組案内を見て、興味がある番組を視聴し、好みの曲があれば、前述の方法にて発注をする。
「
　　　　　　　　　　　　　　　　　　　　　　　　　」
（２）甲１発明１、甲１発明２
　上記（１）の記載事項から、甲第１号証には、次の２つの発明（以下、「甲１発明１」及び「甲１発明２」という。）が記載されている。
　なお、（ａ）〜（ｎ）は、説明のために付されたものであり、以下各構成を「構成ａ」〜「構成ｎ」という。
　また、各構成の末尾の括弧内に、対応する明細書の記載箇所を示した。
〔甲１発明１〕
（ａ）音楽配信装置３であって、（【００１２】）
（ｂ）ネットワーク１に接続される送受信部９、ＣＰＵ等により構成される処理部１０、記憶部１１から構成され、（【００１２】）
（ｃ）記憶部１１は、番組ＤＢ１２、検索ＤＢ１３、曲ＤＢ１４、発注履歴ＤＢ１５、専用端末ＤＢ１６、発注者ＤＢ１７を含み、（【００１２】）
（ｄ）番組ＤＢ１２は、放送局データと放送時間データと曲コードを備え、前記番組ＤＢ１２における放送時間データは、曲コードに対応した放送開始時刻及び放送終了時刻のデータで構成され、（【００１６】、【００１２】、図２）
（ｅ）曲ＤＢ１４は、曲コード、曲データ、試聴データ、曲情報等を記憶しており、曲データは、曲をディジタル信号化したデータであり、曲情報は、曲名、発売日、歌手名、歌手に関する情報、ジャケットの写真又は絵などの曲に関する情報であり、（【００１７】）
（ｆ）ユーザ端末２のディスプレイ２８に表示される音楽発注画面３０には、現在テレビ受像機２３が受信している放送局名、現在の時刻が表示され、（【００２３】）
（ｇ）ユーザは、現在放送されている曲が欲しいと思ったとき、試聴ボタン３３をクリックすると、放送局名データと放送時刻データから発注データ１８が作成されて、ネットワーク１を経由して音楽配信装置３に送信され、
音楽配信装置３では、処理部１０により、記憶部１１の番組ＤＢ１２から、発注データ１８に含まれる放送局名と放送時刻に該当する曲コードを検索し、曲コードが得られると、曲ＤＢ１４から曲データを抽出し、試聴データが要求されているので、試聴データ、曲情報等をユーザ端末２に送信し、（【００２４】）
（ｈ）ユーザ端末２では、データを受信すると、試聴データを再生し、確認画面を表示し、確認画面３５には、放送局名表示枠３６、放送時間表示枠３７、曲名表示枠３８、歌手名表示枠３９が表示され、それぞれに、音楽配信装置３が検索した曲の情報が表示され、また、ＯＫボタン４０、キャンセルボタン４１が表示され、（【００２５】）
（ｉ）ユーザは、確認画面３５と試聴曲から欲しい曲の発注がされたことを確認するとＯＫボタン４０をクリックし、（【００２６】）
（ｊ）ユーザ端末２からＯＫ信号を受信すると、曲データ、曲情報等をユーザ端末２に送信し、（【００２６】、【００２７】）
（ｋ）発注者ＤＢ１７には、予め、ユーザが登録した発注者ごとの好みの条件、例えば、歌手名、ジャンル等が記憶されており、（【００５９】）
（ｌ）新しい番組表１９〜２１を受信すると、番組表１９〜２１について、発注者ＤＢ１７の各発注者ごとに好みの条件に合致する放送内容があるか否かを検索し、条件にあった番組を抽出すると、発注者のユーザ端末２に対して、放送を紹介するメールを送信し、（【００６０】）
（ｍ）ユーザは、受信した番組案内を見て、興味がある番組を視聴し、好みの曲があれば、前述の方法にて発注をする（【００６０】）
（ａ）音楽配信装置３。
〔甲１発明２〕
（ａ）音楽配信装置３であって、（【００１２】）
（ｂ）ネットワーク１に接続される送受信部９、ＣＰＵ等により構成される処理部１０、記憶部１１から構成され、（【００１２】）
（ｃ）記憶部１１は、番組ＤＢ１２、検索ＤＢ１３、曲ＤＢ１４、発注履歴ＤＢ１５、専用端末ＤＢ１６、発注者ＤＢ１７を含み、（【００１２】）
（ｄ）番組ＤＢ１２は、放送局データと放送時間データと曲コードを備え、前記番組ＤＢ１２における放送時間データは、曲コードに対応した放送開始時刻及び放送終了時刻のデータで構成され、（【００１６】、【００１２】、図２）
（ｅ）曲ＤＢ１４は、曲コード、曲データ、試聴データ、曲情報等を記憶しており、曲データは、曲をディジタル信号化したデータであり、曲情報は、曲名、発売日、歌手名、歌手に関する情報、ジャケットの写真又は絵などの曲に関する情報であり、（【００１７】）
（ｆ）ユーザ端末２のディスプレイ２８に表示される音楽発注画面３０には、現在テレビ受像機２３が受信している放送局名、現在の時刻が表示され、（【００２３】）
（ｇ）ユーザは、現在放送されている曲が欲しいと思ったとき、試聴ボタン３３をクリックすると、放送局名データと放送時刻データから発注データ１８が作成されて、ネットワーク１を経由して音楽配信装置３に送信され、
音楽配信装置３では、処理部１０により、記憶部１１の番組ＤＢ１２から、発注データ１８に含まれる放送局名と放送時刻に該当する曲コードを検索し、曲コードが得られると、曲ＤＢ１４から曲データを抽出し、試聴データが要求されているので、試聴データ、曲情報等をユーザ端末２に送信し、（【００２４】）
（ｈ）ユーザ端末２では、データを受信すると、試聴データを再生し、確認画面を表示し、確認画面３５には、放送局名表示枠３６、放送時間表示枠３７、曲名表示枠３８、歌手名表示枠３９が表示され、それぞれに、音楽配信装置３が検索した曲の情報が表示され、また、ＯＫボタン４０、キャンセルボタン４１が表示され、（【００２５】）
（ｉ）ユーザは、確認画面３５と試聴曲から欲しい曲の発注がされたことを確認するとＯＫボタン４０をクリックし、（【００２６】）
（ｊ）ユーザ端末２からＯＫ信号を受信すると、曲データ、曲情報等をユーザ端末２に送信し、（【００２６】、【００２７】）
（ｎ）ユーザは、放送された曲が気に入れば、音楽発注画面３０のメモボタン４２をクリックし、これにより、放送局名データと放送時刻データがユーザ端末２の記憶部２６に記憶され、この操作を繰り返し行えば、複数のデータが記憶部２６に記憶され、ユーザが、放送終了後に切替ボタン４３をクリックすると、放送局名表示枠３６と放送時刻表示枠３７に、記憶されたデータが次々に表示されていき、この表示ごとに試聴ボタン３３を押せば、前述の処理が順次実行されて試聴可能となり、そこで気に入った曲を発注する（【００３２】、【００２１】）
（ａ）音楽配信装置３。
５　甲第２号証
（１）記載事項
　甲第２号証には、次の記載がある。
「なおこの実施形態では自己のリス卜が楽曲ファイルリスト２であり、比較対象リストががヒットチャート２０であり、この比較対象リストの上で判別可能に表示したものが比較後ヒットチャート２１である。
図５では楽曲ファイルリスト２とヒットチャート２０との比較結果を、比較対象リストの上すなわちヒットチャート２０の上に比較後未所有リスト２４として表わしている。 この比較後未所有リスト２４は、ヒットチャート２０から所有する楽曲部分の表示を省略し、未所有の楽曲のみを抽出して表示したものであり、
このように未所有の楽曲のみを抽出して表示することもこの発明の権利範囲内である。
「　　第９実施形態
　　図２０および図２１はこの発明の第９実施形態のリスト比較表示装置を表わす。 このものはミュージックストア側すなわち楽曲販売サーバに関するものであり、処理装置１６は楽曲販売部１７やメール作成部１８や比較表示部１９を制御すると共に、後述する入力装置１００や表示装置１０１や記憶装置１０２や通信装置１０３と言ったものを制御する。記憶装置１０２には販売用の楽曲ファイルやヒットチャートなどの各種のリストが記録されている（図２０)。
　　
図２１はこの楽曲販売サーバのリスト比較表示処理プログラムの動作をフローチャートで表わしたものである。
ユーザー端末側から楽曲ファイルリストを取得し（ステップＳ２５)、処理装置１６の比較表示部１９はこの楽曲ファイルリストと記憶装置１０２に記録してあるヒットチャートとを比較して（ステップＳ２６)、２つのリストの違いすなわちヒットチャートにあって楽曲ファイルリストにない品名があるか否かを調べ（ステップＳ２７)、違いがある場合にはヒットチャート上でその品名をハイライトさせた比較後ヒットチャートを表示装置１０１に表示し（ステップＳ２８)、この比較後ヒットチャートを電子メールにしてユーザー端末へ送信し（ステップＳ２９)
　　この比較後ヒットチャートではユーザーの所有ファイルはそのままに、未所有ファイルがハイライト表示される。従って楽曲販売サーバの管理者が比較後ヒットチャートを見ると、このユーザーが未購入の楽曲名が一目瞭然に分かる。またこの比較後ヒットチャートは電子メールでユーザーに送られるため、ユーザーが比較後ヒットチャートを見て、どの楽曲が購入済でありまた未購入であるかが一目瞭然に分かる。これは両者にとって大きな利点である。 なおユーザー端末側から楽曲ファイルリストを取得する代わりに、ユーザーのダウンロードリストを用いて前記比較処理を行なうように構成することが出来る。また楽曲販売部１７を独立させてこの処理装置１６に接続し、両者で連係を取るような構成も可能である。
　　なおこの実施形態では自己のリストがヒットチャートであり比較対象リストが楽曲ファイルリストであり、自己のリス卜の上で判別可能に表示したものが比較後ヒットチャートである。これは上述の図２のリスト比較表示の説明図を借りて見ると分かりやすい。この図に於いて楽曲販売サーバの管理者は比較後ヒットチャート２１を見ればよい。
またこの図が電子メールでユーザーに送られる。また図５の例を借りれば比較後未所有リスト２５を表示するようにする。
（２）甲２技術
　上記（１）の記載事項において、「比較後未所有リスト２４」は、「比較後ヒットチャート２１」と同様に、比較後のヒットチャートの情報として例示されているから、「比較後ヒットチャート２１」についての実施形態が、「比較後未所有リスト２４」についても同様に実施されるものと認められる。
　すると、上記（１）の記載事項から、甲第２号証には、次の技術（以下、「甲２技術」という。）が記載されているといえる。
〔甲２技術〕
　楽曲販売サーバが、ユーザー端末側から楽曲ファイルリストを取得し、ヒットチャートにあって楽曲ファイルリストにない品名があるか否かを調べ、ヒットチャートから所有する楽曲部分の表示を省略し、未所有の楽曲のみを抽出して表示したものである比較後未所有リストを電子メールにしてユーザー端末へ送信する技術。
６　甲第３号証
（１）記載事項
　甲第３号証には、次の記載がある。
「【０００６】
　
各テレビ配信設備は、番組ガイドサーバを有する。
番組ガイドサーバはまた、ユーザデータ（例えば、ユーザ選好プロフィール、視聴制限（ｐａｒｅｎｔａｌ ｃｏｎｔｒｏｌ）設定、録画設定およびリマインダ設定、視聴履歴、および他の適切なデータ等）も格納する。
【０００７】
　
番組ガイドデータを番組ガイドサーバに提供し、ユーザデータをサーバに格納すると、ユーザのテレビ視聴経験を向上させ得る様々な機能を行う機会をユーザに提供することができる。ユーザは、例えば、番組ガイドサーバによって格納され、サーバによって使用されるユーザ選好プロフィールまたは他のお気に入りを設定して、ユーザの番組ガイド視聴経験をカスタマイズし得る。
「【００１９】
　格納デバイス５６は、テレビ配信設備１６に伝送される番組ガイドデータを主設備１２を用いて格納するのに適したメモリまたは他の格納デバイス（例えば、ランダムアクセスメモリ（ＲＡＭ）、フラッシュメモリ、ハードディスクドライブ等）であり得る。
ユーザデータ（例えば、ユーザ選好プロファイル、選好、視聴制限設定、録画およびリマインダ設定、視聴履歴、および他の適切なデータ）も、番組ガイドサーバ２５によって格納デバイス５６に格納され得る。
「【００８１】
　番組ガイドサーバ２５はまた、ユーザの視聴履歴を格納デバイス５６に記録し得る。視聴履歴は、任意の適切なアプローチを用いて生成され得る。番組ガイドクライアントは、例えば、ユーザが所定の時間よりも長く見た番組全てを追跡し、番組ガイドクライアントが動作している世帯と、現在アクティブ状態の選好プロフィール（単数または複数）と、番組（またはその番組の識別子）と、ユーザがその番組を見た時間の長さとを記録し得る。
番組ガイドクライアントはまた、ユーザがペイ・パー・ビュー番組を注文した時間も追跡し、番組を録画し、番組についてリマインダを予約し、この情報も視聴履歴の一部として番組ガイドサーバ２５へと提供し得る。
「【００８５】
　
番組ガイドは、視聴履歴、選好プロフィール、またはこれらの任意の適切な組み合せに基づいて、個人用にされた視聴推薦を行い得る。
【００８６】
　
例示目的のため、
番組ガイドサーバ２５は、映画Ａｒｍａｇｅｄｄｏｎ（またはその識別子）およびその放送時間を番組ガイドクライアントに知らせ、この映画について視聴者推薦を表示するよう（例えば、第２の識別子を用いて）番組ガイドクライアントに指示し得る。
（２）甲３技術
　上記（１）の記載事項から、甲第３号証には、次の技術（以下、「甲３技術」という。）が記載されている。
〔甲３技術〕
　テレビ配信設備が番組ガイドサーバを有し、当該番組ガイドサーバが、視聴履歴の一部として番組を録画した情報が提供され、視聴履歴に基づいて視聴推薦を行い、例えば、映画Ａｒｍａｇｅｄｄｏｎおよびその放送時間を番組ガイドクライアントに知らせ、この映画について視聴者推薦を表示するよう番組ガイドクライアントに指示する技術。
７　当審の判断
（１）本件発明１について
（１−１）対比
　本件発明１と甲１発明１を対比する。
ア　構成Ａ１、構成Ｂ１、構成Ｄ１について
　甲１発明１の「記憶部１１」（構成ｂ）の「曲ＤＢ１４」（構成ｅ）が備える「曲データ、試聴データ」は、本件発明１の「オーディオアセット」に相当する。
　甲１発明１の「曲名、発売日、歌手名、歌手に関する情報、ジャケットの写真又は絵などの曲に関する情報」である「曲情報」（構成ｅ）は、「曲データ、試聴データ」（「オーディオアセット」）とともに「曲ＤＢ１４」に記憶されているから、本件発明１の「オーディオアセットと関連付けられるオーディオアセット情報」に相当する。
　また、甲１発明１の「放送局データと放送時間データ」（構成ｄ）は、「曲コード」を介して「曲ＤＢ１４」の「曲データ、試聴データ」（「オーディオアセット」）と対応付けられているから、本件発明１の「オーディオアセットと関連付けられるオーディオアセット情報」に相当する。
　そして、前記「放送局データと放送時間データ」は、「番組ＤＢ１２」（構成ｄ）のデータであるから、「番組情報」といえる点で本件発明１の「前記オーディオアセットを埋め込んでいるビデオ番組と関連付けられるビデオ番組情報」と共通する。
　しかしながら、前記「放送局データと放送時間データ」は、「番組ＤＢ１２から、発注データ１８に含まれる放送局名と放送時刻に該当する曲コードを検索」（構成ｇ）するためのもの（例えば、図２における曲コード「０２１３５６１２」に対する放送局名「Ｃ放送局」及び放送時間「１０：０５〜１０：１２」）であるから、「曲コード」すなわち曲のみに関連付けられるものであって、ビデオ番組に関連付けられているとはいえない。してみると、上記「番組情報」が、本件発明１では「前記オーディオアセットを埋め込んでいるビデオ番組と関連付けられるビデオ番組情報」であるのに対し、甲１発明１では曲のみに関連付けられるものである点で、両者は相違する。
　なお、本件特許の明細書の【０１６５】には、「ビデオ番組情報」は「放送スケジュール」及び「オーディオアセットの開始時間、オーディオアセットの終了時間」を含んでもよいとの記載があるが、当該「ビデオ番組情報」は、その記載自体の意味に基づけば、ビデオ番組に係る情報と解するべきものであるから、甲１発明１の曲のみに関連付けられる「放送局データと放送時間データ」は、本件発明１の「ビデオ番組情報」に相当するものとはいえない。
　甲１発明１の「記憶部１１」（構成ｃ）は、上記「放送局データと放送時間データ」（「オーディオアセットと関連付けられるオーディオアセット情報」）を備えた「番組ＤＢ１２」、及び、上記「曲情報」（「オーディオアセットと関連付けられるオーディオアセット情報」）を記憶した「曲ＤＢ１４」等を含むから、「オーディオアセットと関連付けられるオーディオアセット情報を記憶するように構成されるデータストアであって、前記オーディオアセット情報は、番組情報を含む、データストア」である点で本件発明１と共通する。
　そして、甲１発明１の「音楽配信装置３」は、上記「記憶部１１」において本件発明１の「オーディオアセット情報」に相当するデータを記憶しているから、本件発明１と甲１発明１は「オーディオアセット情報記憶システム」（構成Ａ１、構成Ｄ１）である点で一致する。
イ　構成Ｃ１について
　甲１発明１の「ＣＰＵ等により構成される処理部１０」（構成ｂ）及び「ユーザ端末２」（構成ｈ）は、本件発明１の「プロセッサ」及び「ユーザ機器」にそれぞれ相当する。
イ−１　構成Ｃ１のｉ）について
　甲１発明１は、ユーザ端末２の確認画面３５において、音楽配信装置３が検索した曲の情報が放送局名表示枠３６、放送時間表示枠３７、曲名表示枠３８、歌手名表示枠３９にそれぞれ表示され、また、ＯＫボタン４０が表示される（構成ｈ）ものである。
　前記「放送局名表示枠３６、放送時間表示枠３７」に表示されるものは、「音楽配信装置３が検索した曲の情報」であるから、構成ｇの「番組ＤＢ１２から、発注データ１８に含まれる放送局名と放送時刻に該当する曲コードを検索」する際に、番組ＤＢ１２の「放送局データと放送時間データ」（「オーディオアセットと関連付けられるオーディオアセット情報」）から「発注データ１８に含まれる放送局名と放送時刻」に対応して特定された「放送局名」及び「放送時間」であると認められる。
　また、前記「曲名表示枠３８、歌手名表示枠３９」に表示されるものも、「音楽配信装置３が検索した曲の情報」であるから、構成ｇの「番組ＤＢ１２から、発注データ１８に含まれる放送局名と放送時刻に該当する曲コードを検索し、曲コードが得られると、曲ＤＢ１４から曲データを抽出」することで得られた曲ＤＢ１４における曲情報（「オーディオアセットと関連付けられるオーディオアセット情報」）のうちの「曲名」及び「歌手名」である。
　そして、甲１発明１は、前記「番組ＤＢ１２」及び「曲ＤＢ１４」からの情報がユーザ端末２の確認画面に表示されるから、「ユーザ機器を介して表示するために前記オーディオアセットと関連付けられる前記オーディオアセット情報を提供すること」が行われるものといえる。
　さらに、前記「ＯＫボタン４０」は、クリックされることで曲データがユーザ端末２に送信される（構成ｉ、構成ｊ）ものであるから、本件発明１の「前記オーディオアセットを取得するための選択可能なオプション」に相当する。
　そして、甲１発明１の音楽配信装置３における各種処理（送信処理を含む。）が上記「処理部１０」（プロセッサ）で実行されることは明らかであるから、甲１発明１の「処理部１０」（プロセッサ）は、「ｉ）前記オーディオアセットを取得するための選択可能なオプションとともにユーザ機器を介して表示するために前記オーディオアセットと関連付けられる前記オーディオアセット情報を提供すること」を実行するように構成されたものといえる。
　甲１発明１の「発注者ＤＢ１７」（構成ｋ）は、予め、ユーザが登録した発注者ごとの好みの条件、例えば、歌手名、ジャンル等が記憶されたものであるから、「オーディオ選好データ」を備えた「ユーザプロファイル」である点で、本件発明１と共通する。
　甲１発明１の「番組表１９〜２１について、発注者ＤＢ１７の各発注者ごとに好みの条件に合致する」「番組を抽出」（構成ｌ）することは、本件発明１の「前記オーディオアセットの特徴と一致するオーディオ選好データをユーザプロファイルが含んでいることを決定すること」に相当する。
　そして、甲１発明１の上記曲情報等をユーザ端末２に送信すること（オーディオアセット情報を提供すること）は、番組表１９〜２１について、発注者ＤＢ１７の各発注者ごとに好みの条件に合致する番組を抽出して、発注者のユーザ端末２に対して、放送を紹介するメールを送信し（構成ｌ）、ユーザは、受信した番組案内を見て、興味がある番組を視聴し、好みの曲があれば、前述の方法にて発注をする（構成ｍ）ことに基づき実行されるから、甲１発明１は、「前記オーディオアセット情報の少なくとも一部分は、前記オーディオアセットの特徴と一致するオーディオ選好データをユーザプロファイルが含んでいることを決定することを少なくとも条件として提供される」ものである点で共通する。
　しかしながら、「ユーザプロファイル」が、本件発明１では「前記ユーザ機器の」ものであるのに対し、甲１発明では「音楽配信装置３」（「オーディオアセット情報記憶システム」）におけるものである点、及び、「決定することを少なくとも条件として提供される」ことが、本件発明１では「決定することに応じて」なされるのに対し、甲１発明１では、「抽出」すること（「決定すること」）に加え、さらに、「発注者のユーザ端末２に対して、放送を紹介するメールを送信し、ユーザは、受信した番組案内を見て、興味がある番組を視聴し、好みの曲があれば、前述の方法にて発注をする」ことに基づきなされる点で、両者は相違する。
イ−２　構成Ｃ１のｉｉ）、ｉｉｉ）について
　甲１発明１は、ユーザによりＯＫボタン４０がクリックされる（構成ｉ）と、ユーザ端末２からＯＫ信号を受信して曲データ、曲情報等をユーザ端末２に送信する（構成ｊ）から、甲１発明１の「処理部１０」（プロセッサ）は、「ｉｉ）前記選択可能なオプションを介して前記オーディオアセットを取得するための要求を受信すること」と「ｉｉｉ）前記オーディオアセットを取得するための前記要求を受信したことに応じて、前記オーディオアセットを前記ユーザ機器に提供すること」を実行するように構成されたものといえる。
　以上から、本件発明１と甲１発明１は、構成Ｃ１のｉｉ）、ｉｉｉ）を備える点で一致する。
ウ　一致点、相違点
　以上ア〜イから、本件発明１及び甲１発明１の一致点及び相違点は、次のとおりである。
〔一致点〕
（Ａ１）オーディオアセット情報記憶システムであって、
　前記システムは、
（Ｂ１’）オーディオアセットと関連付けられるオーディオアセット情報を記憶するように構成されるデータストアであって、前記オーディオアセット情報は、番組情報を含む、データストアと、
（Ｃ１’）ｉ）前記オーディオアセットを取得するための選択可能なオプションとともにユーザ機器を介して表示するために前記オーディオアセットと関連付けられる前記オーディオアセット情報を提供することであって、前記オーディオアセット情報の少なくとも一部分は、前記オーディオアセットの特徴と一致するオーディオ選好データをユーザプロファイルが含んでいることを決定することを少なくとも条件として提供される、ことと、ｉｉ）前記選択可能なオプションを介して前記オーディオアセットを取得するための要求を受信することと、ｉｉｉ）前記オーディオアセットを取得するための前記要求を受信したことに応じて、前記オーディオアセットを前記ユーザ機器に提供することとを実行するように構成されるプロセッサと
（Ｄ１）を備える、システム。
〔相違点１〕
　「番組情報」が、本件発明１では「前記オーディオアセットを埋め込んでいるビデオ番組と関連付けられるビデオ番組情報」であるのに対し、甲１発明１では曲のみに関連付けられるものである点。
〔相違点２〕
　「ユーザプロファイル」が、本件発明１では「前記ユーザ機器の」ものであるのに対し、甲１発明では「音楽配信装置３」（「オーディオアセット情報記憶システム」）におけるものである点。
〔相違点３〕
　「決定することを少なくとも条件として提供される」ことが、本件発明１では「決定することに応じて」なされるのに対し、甲１発明１では、「抽出」すること（「決定すること」）に加え、さらに、「発注者のユーザ端末２に対して、放送を紹介するメールを送信し、ユーザは、受信した番組案内を見て、興味がある番組を視聴し、好みの曲があれば、前述の方法にて発注をする」ことに基づきなされる点。
（１−２）特許法第２９条第１項についての判断
　上記（１−１）のとおり、本件発明１は、相違点１〜相違点３において甲１発明１と相違するものであるから、甲第１号証に記載された発明ではない。
（１−３）特許法第２９条第２項についての判断
　上記相違点１について検討する。
　オーディオアセットを埋め込んでいるビデオ番組と関連付けられるビデオ番組情報は、甲第２号証及び甲第３号証のいずれにも記載も示唆もされていないし、自明のものであるとも認められない。
　したがって、相違点２及び相違点３について検討するまでもなく、本件発明１は、当業者であっても、甲１発明１等に基づいて容易に発明することができたものとはいえない。
（２）本件発明２、３、６について
　本件発明２、３、６は、本件発明１の構成を備えるものであるから、上記（１）と同様の理由により、甲第１号証に記載された発明ではないし、当業者であっても、甲１発明１等に基づいて容易に発明することができたものとはいえない。
（３）本件発明４について
　本件発明４は、本件発明１と同じ構成Ｂ１を備えるものであり、甲１発明１は、少なくとも上記相違点１に係る構成Ｂ１の構成を備えていない点で、本件発明４と相違するものである。
　したがって、本件発明４は、上記（１）と同様の理由により、当業者であっても、甲１発明１及び甲２技術等に基づいて容易に発明することができたものとはいえない。
（４）本件発明５について
　本件発明５は、本件発明１の構成を備えるものであるから、上記（１）と同様の理由により、甲第１号証に記載された発明ではないし、当業者であっても、甲１発明１等に基づいて容易に発明することができたものとはいえない。
　また、上記（１）のとおり、相違点１に係る本件発明５の構成は甲第３号証（上記６）に記載も示唆もされていないから、当業者であっても、甲１発明１及び甲３技術に基づいて容易に発明することができたものとはいえない。
（５）本件発明７について
　本件発明７は、本件発明１と同じ構成Ｂ１を備えるものである。これに対し、甲１発明２は、甲１発明１と共通する構成ａ〜構成ｊを備え、かつ、甲１発明１と異なる構成である構成ｎにおいても「オーディオアセットを埋め込んでいるビデオ番組と関連付けられるビデオ番組情報」は存在しないから、少なくとも上記相違点１に係る構成Ｂ１の構成を備えていない点で、本件発明７と相違するものである。
　したがって、本件発明７は、上記（１）と同様の理由により、甲第１号証に記載された発明ではないし、甲１発明２等に基づいて容易に発明することができたものとはいえない。
（６）本件発明８〜１４について
　本件発明８〜１４は、それぞれ本件発明１〜７とカテゴリが異なる発明であり、甲１発明１、甲１発明２との間に少なくとも上記相違点１と同様の相違点を有するものである。
　したがって、本件発明８〜１０、１２、１３は、上記（１）、（２）、（４）と同様の理由により、甲第１号証に記載された発明ではないし、甲１発明１等に基づいて容易に発明することができたものとはいえない。
　本件発明１１は、上記（３）と同様の理由により、甲１発明１及び甲２技術等に基づいて容易に発明することができたものとはいえない。
　本件発明１２は、上記（４）と同様の理由により、甲１発明１及び甲３技術に基づいて容易に発明することができたものとはいえない。
　本件発明１４は、上記（５）と同様の理由により、甲第１号証に記載された発明ではないし、甲１発明２等に基づいて容易に発明することができたものとはいえない。
８　むすび
　以上のとおりであるから、請求項１〜１４に係る特許は、取消理由通知に記載した取消理由及び特許異議申立書に記載された特許異議申立理由によっては、取り消すことができない。
　また、他に請求項１〜１４に係る特許を取り消すべき理由を発見しない。
　よって、結論のとおり決定する。
【異議決定日】
令和３年１０月２９日（２０２１．１０．２９）